(57)【要約】【課題】  内槽の内部に位置する洗濯物の全部を効率良く乾燥させ得るようにする。【解決手段】  外槽５の下部から周側部に下部排気通路１６を設けると共に、外槽カバー１７に上部排気通路２５を設け、温風供給装置１０から内槽６の内部に供給した温風が、それら下部排気通路１６及び上部排気通路２５を順に通って排出されるようにすることにより、温風が、内槽６の内部に位置した洗濯物群の上部表面部分だけでなく、中央部、そして下部に位置する洗濯物にも行き届いて、それらの全部を効率良く乾燥させ得るようにできた。【選択図】  図１
2005328974.tif 000002
【特許請求の範囲】
【請求項１】
機内部に、外槽と、この外槽の内部に位置する内槽、内槽を回転駆動する駆動装置、及び外槽の上端開口縁部を覆う外槽カバーを具えると共に、温風供給装置を具え、その温風供給装置から前記内槽の内部に温風を供給して洗濯物を乾燥させるようにしたものにおいて、
前記外槽の下部から周側部に下部排気通路を設けると共に、前記外槽カバーに上部排気通路を設け、前記内槽の内部に供給した温風が、それら下部排気通路及び上部排気通路を順に通って排出されるようにしたことを特徴とする乾燥機能付き洗濯機。
【請求項２】
外槽カバーが、内槽の内部に給水するための給水通路を有すると共に、その給水通路の両側のいずれか一方側に上部排気通路を有することを特徴とする請求項１記載の乾燥機能付き洗濯機。
【請求項３】
外槽カバーが、給水通路の上部排気通路側とは反対の側に、温風供給装置からの温風を内槽の内部に供給するための給気通路を有することを特徴とする請求項２記載の乾燥機能付き洗濯機。
【請求項４】
上部排気通路が、温度検知手段を有することを特徴とする請求項１記載の乾燥機能付き洗濯機。
【請求項５】
上部排気通路が、先端部分にフィルタを有することを特徴とする請求項１記載の乾燥機能付き洗濯機。
【請求項６】
フィルタが、前方にスライドさせて取外されることを特徴とする請求項５記載の乾燥機能付き洗濯機。
【請求項７】
フィルタが、着脱可能で、外槽カバーに設けられた内蓋の枢支部分より上方に位置することを特徴とする請求項５記載の乾燥機能付き洗濯機。
【請求項８】
上部排気通路が、外槽カバーとは別体の部品を外槽カバーに取着して構成されていることを特徴とする請求項１記載の乾燥機能付き洗濯機。
【発明の詳細な説明】
【技術分野】
【０００１】
本発明は、温風の排出構造を改良した乾燥機能付き洗濯機に関する。
【背景技術】
【０００２】
近年、洗濯物の乾燥までができる乾燥機能付き洗濯機が供されている。このものは、機内部に、外槽と、この外槽の内部に位置する内槽、内槽を回転駆動する駆動装置、及び外槽の上端開口縁部を覆う外槽カバーを具えると共に、温風供給装置を具え、その温風供給装置から前記内槽の内部に温風を供給して洗濯物を乾燥させるようになっている。
そして、このものの場合、内槽の内部に供給された温風は、外槽カバーに設けられた内蓋のフィルタ部を通じて外槽の外部に排出され、更に、外箱の底部開口等から機外に排出されるようになっている。
【特許文献１】特開２００３−３０５２９３号公報
【発明の開示】
【発明が解決しようとする課題】
【０００３】
しかしながら、上述のように、内槽の内部に供給された温風が、外槽カバーに設けられた内蓋のフィルタ部を通じて外槽の外部に排出されるものでは、内槽の内部に位置する洗濯物群の上部表面部分にしか温風が有効に接触せず、特に、中央部から下部に位置する洗濯物には温風が届かずして、それらを効率良く乾燥させることができないという問題点を有していた。
【０００４】
本発明は上述の事情に鑑みてなされたものであり、従ってその目的は、内槽の内部に位置する洗濯物の全部を効率良く乾燥させることのできる乾燥機能付き洗濯機を提供するにある。
【課題を解決するための手段】
【０００５】
上記目的を達成するために、本発明の乾燥機能付き洗濯機においては、機内部に、外槽と、この外槽の内部に位置する内槽、内槽を回転駆動する駆動装置、及び外槽の上端開口縁部を覆う外槽カバーを具えると共に、温風供給装置を具え、その温風供給装置から前記内槽の内部に温風を供給して洗濯物を乾燥させるようにしたものにおいて、前記外槽の下部から周側部に下部排気通路を設けると共に、前記外槽カバーに上部排気通路を設け、前記内槽の内部に供給した温風が、それら下部排気通路及び上部排気通路を順に通って排出されるようにしたことを特徴とする。
【発明の効果】
【０００６】
上記手段（請求項１の発明）によれば、内槽の内部に供給された温風は、内槽の内部に位置した洗濯物群の上部表面部分から中央部、そして下部に位置する洗濯物に接触して下部排気通路に達し、そして、該下部排気通路及び上部排気通路を順に通って排出される。これにより、温風が、内槽の内部に位置した洗濯物群の上部表面部分だけでなく、中央部、そして下部に位置する洗濯物にも届くようになって、それらの全部を効率良く乾燥させることができる。
【発明を実施するための最良の形態】
【０００７】
以下、本発明の一実施例（一実施形態）につき、図面を参照して説明する。
まず、図１には乾燥機能付き洗濯機の全体を縦断して表しており、底部に複数の脚１を有する外箱２と、これの最上部に装着したトップカバー３とで、外殻４を構成している。
機内部である外箱２の内部には、外槽５を、弾性吊持機構５ａにより弾性支持して配設しており、この外槽５の内部に内槽６を配設し、更に、内槽６の内部には、最下部に撹拌体７を配設して、それら撹拌体７及び内槽６を洗濯時と脱水時及び乾燥時に関して選択的に回転駆動するモータを主体とする駆動装置８を、外槽５の外下方部に配設している。
【０００８】
一方、トップカバー３の内部には、前部に制御装置９を配置し、後部に温風供給装置１０を配置している。このうち、制御装置９は、乾燥機能付き洗濯機の作動全般を制御するためのもので、例えばマイクロコンピュータを主体に構成している。温風供給装置１０は、ファン１１とヒータ１２とを有するもので、機外部の空気をトップカバー３の背部から吸入し、それをヒータ１２により加熱することによって温風化し、その温風を吐出口１３から下方へ吐出するようになっている。
そのほか、トップカバー３の内部には給水装置を配置しており、この給水装置は、図示しないが、水道の水を蛇口から給水弁を通じて供給するものである。
【０００９】
ここで、前記外槽５は有底の円筒状を成しており、内槽６も同じく有底の円筒状を成し、この内槽６の上端開口縁部には、内周に回転バランサ１４を設けている。又、外槽５の下部、この場合、後側（図では左側）の周側部の下部には、排気口１５を形成し、この排気口１５に連なる下部排気通路１６を、外槽５の上記後側の周側部の下部から上部にかけて該外槽５と一体の直状ダクト構成の成形により設けている。
【００１０】
一方、外槽５の上端開口縁部には、外槽カバー１７を装着している。図２は、その外槽カバー１７を拡大斜視して表しており、中央部に内蓋１８で図示しないパッキン等を介し気密に開閉される開口１９を有する環状にて、その開口１９の後側の部分で、左右２つのヒンジ支え２０により、内蓋１８のヒンジ部２１を支持し、もって、内蓋１８を上下開閉可能に枢支している。従って、それらヒンジ支え２０及びヒンジ部２１の組立て部分は、内蓋１８の枢支部分２２となっている。
【００１１】
又、外槽カバー１７の後部には、２本の蛇腹ホース２３，２４を装着しており、そのうち右側の蛇腹ホース２３は、上端部が前記給水装置の出口部に接続されて、その給水装置からの水を内槽６の内部に供給するための給水通路として機能するものであり、残る左側の蛇腹ホース２４は、上端部が前記温風供給装置１０の吐出口１３に接続されて、その温風供給装置１０からの温風を内槽６の内部に供給するための給気通路として機能するものである。
【００１２】
そして更に、それらの後側から右側には、上部排気通路２５を設けている。図３は、その上部排気通路２５を、後側から斜視して表しており、該上部排気通路２５は、外槽カバー１７とは別体のもっぱら下面が開放した覆い部品を外槽カバー１７に複数（１つのみ図示）の取付爪１７ａにより取着して構成している。しかして、外槽カバー１７を外槽５の上端開口縁部に装着した状態では、前記下部排気通路１６に上部排気通路２５が接合される。
【００１３】
なお、上部排気通路２５は、蛇腹ホース２３（給水通路）の右側に限られず、蛇腹ホース２４に代えて左側に設けても良い（この場合、蛇腹ホース２４は蛇腹ホース２３の右側に設ける）。すなわち、上部排気通路２５は、給水通路の両側のいずれか一方側に設ければ良いもので、給水通路（蛇腹ホース２３）のその上部排気通路２５側とは反対の側に、蛇腹ホース２４（給気通路）が設けられていれば良い。
【００１４】
又、上部排気通路２５、特にこれの下部排気通路１６に近い部分の上面には、温度検知手段である温度センサ２６を設けている。この温度センサ２６は、例えば負特性のサーミスタから成っており、その温度検知出力を前記制御装置９に入力するようにしている。
【００１５】
更に、上部排気通路２５の先端（開口）部分には、フィルタ２７を設けている。このフィルタ２７は、洗濯物を乾燥させるときに散出するリント（糸くず）を捕獲するためのもので、図４に更に拡大分解斜視して表すように、例えば網２７ａを張着した格子状を成すフレーム２７ｂを、軸２７ｃによって捕獲ケース２７ｄに開閉可能に枢着して成るものであり、矢印Ｘで示す前方からのスライド方式にて、上部排気通路２５の先端部に着脱可能に装着し、捕獲ケース２７ｄをそれの左側面部及び後側部の開口により上部排気通路２５に連通させている。
【００１６】
しかして、上部排気通路２５、特にこれの先端部分には、フィルタ検知手段であるフィルタセンサ２８を設けている。このフィルタセンサ２８は、例えばリードスイッチから成っており、それと対応する磁石２９をフィルタ２７に取着していて、フィルタ２７を上部排気通路２５の先端部分に正しく装着したときに、フィルタセンサ２８が磁石２９の磁力で閉成し、フィルタ２７を検知するようになっている。
加えて、図５はフィルタ２７と前述の内蓋１８の枢支部分２２との位置関係を示しており、フィルタ２７は、内蓋１８の枢支部分２２より寸法Ａだけ上方に位置している。
【００１７】
次に、上記構成のものの作用を述べる。
乾燥時には、温風供給装置１０が作動されると共に、内槽６が回転される。従って、温風供給装置１０からは、図１に矢印Ｙで示すように、温風が蛇腹ホース２４（給気通路）を通じて外槽５内に供給され、更に、回転バランサ１４の内方を通じて内槽６内に供給される。このとき、内槽６内では図示しない洗濯物が内槽６の回転によって撹拌されており、内槽６内に供給された温風は、その撹拌中の洗濯物、特には上部の洗濯物から中央部の洗濯物、そして下部に位置する洗濯物に接触して、撹拌体７の有する図示しない孔、及び内槽６が底部に有する同じく図示しない孔を通じ、排気口１５から下部排気通路１６に達する。そして、その下部排気通路１６から上部排気通路２５を順に通って排出され、更に、外槽５と外箱２との間を通って、外箱２の底部の開口２ａから機外に排出される。
【００１８】
かくして、本構成のものの場合、温風供給装置１０から供給された温風は、内槽６の内部に位置した洗濯物群の上部表面部分だけでなく、中央部、そして下部に位置する洗濯物にも届くようになって、それらの全部を効率良く乾燥させることができる。
その上、本構成のものの場合、外槽カバー１７に設けた上部排気通路２５によって、下部排気通路１６を通った温風の流れを変え得るから、温風が下部排気通路１６からそのまま上方へ出てトップカバー３内の電装品、例えば給水装置の給水弁（電磁弁）に、洗濯物から奪った湿気を及ぼすことを防止できて、それの絶縁性を良好に確保することもできる。
【００１９】
又、本構成のものの場合、外槽カバー１７が、内槽６の内部に給水するための給水通路として蛇腹ホース２３を有すると共に、それの両側のいずれか一方側（図示例では右側）に上部排気通路２５を有する。従って、上部排気通路２５を、蛇腹ホース２３（給水通路）に干渉することなく設けることができる。
【００２０】
更に、外槽カバー１７は、上記蛇腹ホース２３の上部排気通路２５側とは反対の側（図示例では左側）に、温風供給装置１０からの温風を内槽６の内部に供給するための給気通路として蛇腹ホース２４を有する。これにより、それら蛇腹ホース２３と上部排気通路２５及び蛇腹ホース２４を、外槽カバー１７の後部という狭隘な部分にスペース効率良く配置することができる。
【００２１】
加えて、上部排気通路２５は、温度検知手段として温度センサ２６を有している。これにより、上部排気通路２５を通る温風の温度が温度センサ２６により検知され、その温度検知信号が制御装置９に入力される。制御装置９は、それに基づき、温風の温度が乾燥のほゞ終了時期を示す所定の温度に達した時点で、その後所定時間、温風供給装置１０に温風の供給を続けさせ、そして、その後に温風の供給を停止させる制御をする。かくして、洗濯物をより具合良く乾燥させることができる。
【００２２】
又、上部排気通路２５は、先端部分にフィルタ２７を有しており、それによって、洗濯物を乾燥させるときに散出するリントを捕獲することができ、洗濯機が設置された室内をリントで汚すことのないようにできる。
更に、この場合、フィルタ２７は、前方にスライドさせて取外されるようにしており、外槽カバー１７の奥部に位置していても、その取外しの作業が容易にでき、取外した後、リントを除去してからの再装着の作業も容易にできる。
【００２３】
しかも、その折り、フィルタ２７は、外槽カバー１７に設けられた内蓋１８の枢支部分２２より上方に位置しており、従って、その内蓋１８の枢支部分２２に邪魔されることなく、着脱の作業ができる。
そして、上部排気通路２５は、外槽カバー１７とは別体の部品を外槽カバー１７に取着して構成しており、外槽カバー１７の後側から右側または左側など、上部排気通路２５の複雑な曲がりに、別体の部品にて容易に対応することができる。
【００２４】
なお、本発明は上記し且つ図面に示した実施例にのみ限定されるものではなく、要旨を逸脱しない範囲内で適宜変更して実施し得る。
【図面の簡単な説明】
【００２５】
【図１】本発明の第１実施例を示す全体の縦断側面図
【図２】主要部分の前側から見た拡大斜視図
【図３】主要部分の後側から見た拡大斜視図
【図４】フィルタ部分の拡大分解斜視図
【図５】主要部分の拡大縦断側面図
【符号の説明】
【００２６】
図面中、５は外槽、６は内槽、８は駆動装置、１０は温風供給装置、１６は下部排気通路、１７は外槽カバー、１８は内蓋、２２は枢支部分、２３は蛇腹ホース（給水通路）、２４は蛇腹ホース（給気通路）、２５は上部排気通路、２６は温度センサ、２７はフィルタを示す。
【図１】
2005328974.tif 000003
【図２】
2005328974.tif 000004
【図３】
2005328974.tif 000005
【図４】
2005328974.tif 000006
【図５】
2005328974.tif 000007